(57)【要約】【課題】症状又は目的別の足ツボ（足裏反射区）を刺激し、足裏の血液循環の促進及び足裏指圧効果を得ることができる足裏反射区補強靴下を提供する。【解決手段】突起状の補強部分２が上から体重がかかることで足裏に直接触れ、足ツボ（足裏反射区）を刺激し、足裏指圧効果を得ることができる。【選択図】図１
0003110077.tif 000002
【実用新案登録請求の範囲】
【請求項１】
靴下の裏地に症状又は目的別の足ツボ（足裏反射区）と対応するように三次元的に編みこんで突起状の補強部分を備えたことを特徴とする足裏反射区補強靴下。
【請求項２】
前記請求項１に記載した足裏反射区補強靴下において、症状又は目的別に足ツボ（足裏反射区）の位置を対応させ突起状の補強部分を備えた足裏反射区補強靴下。
【考案の詳細な説明】
【技術分野】
【０００１】本考案は、前記突起状の補強部分によって足ツボ（足裏反射区）を刺激し、足裏の血液循環の促進及び足裏指圧効果を与えるための靴下に関する。
【背景技術】
【０００２】従来の靴下では、症状又は目的別に足裏反射区に対応させた突起状の補強部分を備え足裏指圧効果を与える靴下は存在しなかった。従来の技術としては、登録実用新案第３０７６７０２号のような、靴下の足底部分全体に三次元的に編みこんだ凸凹状の畝を形成し、マッサージ効果を有するものは存在した、この場合、前記凹凸の畝によって刺激を受ける体の部位に心地よさ、リラックス効果、マッサージ効果及び爽快感を与えていた。
【考案の開示】
【考案が解決しようとする課題】
【０００３】本考案は、前記課題を解消するためになされたもので、症状又は目的別に足裏指圧効果を得ることができる足裏反射区補強靴下を提供することを目的とする。
【課題を解決するための手段】
【０００４】本考案に係る足裏反射区補強靴下は、靴下の裏地に症状又は目的別の足ツボ（足裏反射区）と対応するように三次元的に編みこんで突起状の補強部分を備えたことを特徴とする靴下である。このように本考案によれば、症状又は目的別により前記突起状の補強部分が上から体重がかかることで足裏に足ツボ（足裏反射区）指圧効果を与えることができる。
【考案の効果】
【０００５】本考案の靴下をはくことにより、症状又は目的別の足ツボ（足裏反射区）を指圧して症状の緩和、防止する。及び、目的に沿った効能、効果を得られる。
【考案を実施するための最良の形態】
【０００６】（本考案の第１の実施形態）
以下、本考案の第１の実施形態に係る足裏反射区補強靴下の形態を図１に基づいて説明する。図１（Ａ）は本考案の第１の実施形態に係る足裏反射区補強靴下を底部から見た左足底図である。図１（Ｂ）は本考案の第１の実施形態に係る足裏反射区補強靴下を底部から見た右足底図である。【０００７】本考案の第１の実施形態に係る図１（Ａ）（Ｂ）足裏反射区補強靴下１は、裏地に三次元的に編み込んで形成した図１（Ａ）（Ｂ）突起状の補強部分２を備えたものである。
本考案の第１の実施形態に係る前記足裏反射区補強靴下１は、前記突起状の補強部分２の足ツボ（足裏反射区）に指圧効果を与えることにより、腰痛の痛み及び症状を緩和、防止する効果を得ることができる。【０００８】（本考案の第２の実施形態）
以下、本考案の第２の実施形態に係る足裏反射区補強靴下の形態を図３に基づいて説明する。図３（Ａ）は本考案の第２の実施形態に係る足裏反射区補強靴下を底部から見た左足底図である。図３（Ｂ）は本考案の第２の実施形態に係る足裏反射区補強靴下を底部から見た右足底図である。【０００９】本考案の第２の実施形態に係る図３（Ａ）（Ｂ）足裏反射区補強靴下１は、裏地に三次元的に編み込んで形成した図３（Ａ）（Ｂ）突起状の補強部分２を備えたものである。
本考案の第２の実施形態に係る前記足裏反射区補強靴下１は、前記突起状の補強部分２の足ツボ（足裏反射区）に指圧効果を与えることにより、花粉症の症状を緩和、防止する効果を得ることができる。【００１０】（本考案の第３の実施形態）
以下、本考案の第３の実施形態に係る足裏反射区補強靴下の形態を図５に基づいて説明する。図５（Ａ）は本考案の第３の実施形態に係る足裏反射区補強靴下を底部から見た左足底図である。図５（Ｂ）は本考案の第３の実施形態に係る足裏反射区補強靴下を底部から見た右足底図である。【００１１】本考案の第３の実施形態に係る図５（Ａ）（Ｂ）足裏反射区補強靴下１は、裏地に三次元的に編み込んで形成した図５（Ａ）（Ｂ）突起状の補強部分２を備えたものである。
本考案の第３の実施形態に係る前記足裏反射区補強靴下１は、前記突起状の補強部分２の足ツボ（足裏反射区）に指圧効果を与えることにより、冷え性、又は冷房病の症状を緩和、防止する効果を得ることができる。【００１２】（本考案の第４の実施形態）
以下、本考案の第４の実施形態に係る足裏反射区補強靴下の形態を図４に基づいて説明する。図７（Ａ）は本考案の第４の実施形態に係る足裏反射区補強靴下を底部から見た左足底図である。図７（Ｂ）は本考案の第４の実施形態に係る足裏反射区補強靴下を底部から見た右足底図である。【００１３】本考案の第４の実施形態に係る図７（Ａ）（Ｂ）足裏反射区補強靴下１は、裏地に三次元的に編み込んで形成した図７（Ａ）（Ｂ）突起状の補強部分２を備えたものである。
本考案の第４の実施形態に係る前記足裏反射区補強靴下１は、前記突起状の補強部分２の足ツボ（足裏反射区）に指圧効果を与えることにより、肩こりの症状を緩和、防止する効果を得ることができる。【００１４】（本考案の第５の実施形態）
以下、本考案の第５の実施形態に係る足裏反射区補強靴下の形態を図５に基づいて説明する。図９（Ａ）は本考案の第５の実施形態に係る足裏反射区補強靴下を底部から見た左足底図である。図９（Ｂ）は本考案の第５の実施形態に係る足裏反射区補強靴下を底部から見た右足底図である。【００１５】本考案の第５の実施形態に係る図９（Ａ）（Ｂ）足裏反射区補強靴下１は、裏地に三次元的に編み込んで形成した図９（Ａ）（Ｂ）突起状の補強部分２を備えたものである。
本考案の第５の実施形態に係る前記足裏反射区補強靴下１は、前記突起状の補強部分２の足ツボ（足裏反射区）に指圧効果を与えることにより、便秘の症状を緩和、防止する効果を得ることができる。【００１６】（本考案の第６の実施形態）
以下、本考案の第６の実施形態に係る足裏反射区補強靴下の形態を図６に基づいて説明する。図１１（Ａ）は本考案の第６の実施形態に係る足裏反射区補強靴下を底部から見た左足底図である。図１１（Ｂ）は本考案の第６の実施形態に係る足裏反射区補強靴下を底部から見た右足底図である。【００１７】本考案の第６の実施形態に係る図１１（Ａ）（Ｂ）足裏反射区補強靴下１は、裏地に三次元的に編み込んで形成した図１１（Ａ）（Ｂ）突起状の補強部分２を備えたものである。
本考案の第６の実施形態に係る前記足裏反射区補強靴下１は、前記突起状の補強部分２を左右の足底部分の外側に備えることにより、正しい歩行姿勢が保てるようになり、Ｏ脚補整の効果を得ることができる。【００１８】（本考案の第７の実施形態）
以下、本考案の第７の実施形態に係る足裏反射区補強靴下の形態を図１３に基づいて説明する。図１３（Ａ）は本考案の第７の実施形態に係る足裏反射区補強靴下を底部から見た左足底図である。図１３（Ｂ）は本考案の第７の実施形態に係る足裏反射区補強靴下を底部から見た右足底図である。【００１９】本考案の第７の実施形態に係る図１３（Ａ）（Ｂ）足裏反射区補強靴下１は、裏地に三次元的に編み込んで形成した図１３（Ａ）（Ｂ）突起状の補強部分２を備えたものである。
本考案の第７の実施形態に係る前記足裏反射区補強靴下１は、前記突起状の補強部分２（土踏まず部分）に指圧効果を与えることにより、足の疲れの緩和、防止のする効果を得ることができる。【００２０】（本考案の第８の実施形態）
以下、本考案の第８の実施形態に係る足裏反射区補強靴下の形態を図８に基づいて説明する。図１５（Ａ）は本考案の第８の実施形態に係る足裏反射区補強靴下を底部から見た左足底図である。図１５（Ｂ）は本考案の第８の実施形態に係る足裏反射区補強靴下を底部から見た右足底図である。【００２１】本考案の第８の実施形態に係る図１５（Ａ）（Ｂ）足裏反射区補強靴下１は、裏地に三次元的に編み込んで形成した図１５（Ａ）（Ｂ）突起状の補強部分２を備えたものである。
本考案の第８の実施形態に係る前記足裏反射区補強靴下１は、前記突起状の補強部分２の足ツボ（足裏反射区）に指圧効果を与えることにより、風邪の症状を緩和、防止する効果を得ることができる。
【図面の簡単な説明】
【００２２】
【図１】本考案の第１の実施形態に係る足裏反射区補強靴下の左足底面図（Ａ）及び本考案の第１の実施形態に係る足裏反射区補強靴下の右足底面図（Ｂ）である。
【図２】本考案の第１の実施形態に係る足裏反射区補強靴下の左足側面図（Ｃ）及び本考案の第１の実施形態に係る足裏反射区補強靴下の右足側面図（Ｄ）である。
【図３】本考案の第２の実施形態に係る足裏反射区補強靴下の左足底面図（Ａ）及び本考案の第２の実施形態に係る足裏反射区補強靴下の右足底面図（Ｂ）である。
【図４】本考案の第２の実施形態に係る足裏反射区補強靴下の左足側面図（Ｃ）及び本考案の第２の実施形態に係る足裏反射区補強靴下の右足側面図（Ｄ）である。
【図５】本考案の第３の実施形態に係る足裏反射区補強靴下の左足底面図（Ａ）及び本考案の第３の実施形態に係る足裏反射区補強靴下の右足底面図（Ｂ）である。
【図６】本考案の第３の実施形態に係る足裏反射区補強靴下の左足側面図（Ｃ）及び本考案の第３の実施形態に係る足裏反射区補強靴下の右足側面図（Ｄ）である。
【図７】本考案の第４の実施形態に係る足裏反射区補強靴下の左足底面図（Ａ）及び本考案の第４の実施形態に係る足裏反射区補強靴下の右足底面図（Ｂ）である。
【図８】本考案の第４の実施形態に係る足裏反射区補強靴下の左足側面図（Ｃ）及び本考案の第４の実施形態に係る足裏反射区補強靴下の右足側面図（Ｄ）である。
【図９】本考案の第５の実施形態に係る足裏反射区補強靴下の左足底面図（Ａ）及び本考案の第５の実施形態に係る足裏反射区補強靴下の右足底面図（Ｂ）である。
【図１０】本考案の第５の実施形態に係る足裏反射区補強靴下の左足側面図（Ｃ）及び本考案の第５の実施形態に係る足裏反射区補強靴下の右足側面図（Ｄ）である。
【図１１】本考案の第６の実施形態に係る足裏反射区補強靴下の左足底面図（Ａ）及び本考案の第６の実施形態に係る足裏反射区補強靴下の右足底面図（Ｂ）である。
【図１２】本考案の第６の実施形態に係る足裏反射区補強靴下の左足側面図（Ｃ）及び本考案の第６の実施形態に係る足裏反射区補強靴下の右足側面図（Ｄ）である。
【図１３】本考案の第７の実施形態に係る足裏反射区補強靴下の左足底面図（Ａ）及び本考案の第７の実施形態に係る足裏反射区補強靴下の右足底面図（Ｂ）である。
【図１４】本考案の第７の実施形態に係る足裏反射区補強靴下の左足側面図（Ｃ）及び本考案の第７の実施形態に係る足裏反射区補強靴下の右足側面図（Ｄ）である。
【図１５】本考案の第８の実施形態に係る足裏反射区補強靴下の左足底面図（Ａ）及び本考案の第８の実施形態に係る足裏反射区補強靴下の右足底面図（Ｂ）である。
【図１６】本考案の第８の実施形態に係る足裏反射区補強靴下の左足側面図（Ｃ）及び本考案の第８の実施形態に係る足裏反射区補強靴下の右足側面図（Ｄ）である。
【符号の説明】
【００２３】１足裏反射区補強靴下
２足ツボ（足裏反射区）に対応させた突起状の補強部分
【図１】
0003110077.tif 000003
【図３】
0003110077.tif 000004
【図５】
0003110077.tif 000005
【図７】
0003110077.tif 000006
【図９】
0003110077.tif 000007
【図１１】
0003110077.tif 000008
【図１３】
0003110077.tif 000009
【図１５】
0003110077.tif 000010
【手続補正書】
【提出日】平成17年2月8日(2005.2.8)
【手続補正１】
【補正対象書類名】図面
【補正対象項目名】全図
【補正方法】変更
【補正の内容】
【図１】
0003110077.tif 000011
0003110077.tif 000012
【図２】
0003110077.tif 000013
0003110077.tif 000014
【図３】
0003110077.tif 000015
0003110077.tif 000016
【図４】
0003110077.tif 000017
0003110077.tif 000018
【図５】
0003110077.tif 000019
0003110077.tif 000020
【図６】
0003110077.tif 000021
0003110077.tif 000022
【図７】
0003110077.tif 000023
0003110077.tif 000024
【図８】
0003110077.tif 000025
0003110077.tif 000026
【図９】
0003110077.tif 000027
0003110077.tif 000028
【図１０】
0003110077.tif 000029
0003110077.tif 000030
【図１１】
0003110077.tif 000031
0003110077.tif 000032
【図１２】
0003110077.tif 000033
0003110077.tif 000034
【図１３】
0003110077.tif 000035
0003110077.tif 000036
【図１４】
0003110077.tif 000037
0003110077.tif 000038
【図１５】
0003110077.tif 000039
0003110077.tif 000040
【図１６】
0003110077.tif 000041
0003110077.tif 000042